(57)【要約】      （修正有）【課題】コアドリル穿孔において、冷却水を使用することなく乾式（ドライ）で、かつ、穿孔能力の低下させることなくコンクリートを穿孔するコアドリルパッドを提供する。【解決手段】コアドリルパッド１は円筒体の基体２に珪砂供給装置４とボルテックスチューブ等の冷気供給装置５が取り付けてあり、珪砂がパイプ４２を通じてコアドリルパッド１の内部に導かれ、先端排出口４３からコアドリル１０のビットに供給され、付着した切粉が除去される。更に、コアドリルの温度上昇に応じてコアドリルを冷却するボルテックスチューブなどの冷気供給装置５からの冷気をコアドリル１０に吹き付けてコアドリルを乾式で冷却する。基体２の内部にはアルミニウム不織布の吸音材からなる円筒形の吸音部材が設けてあるので、穿孔音が環境中に伝播するのを抑制することができ、騒音を軽減することができる。【選択図】図１
0003172506.tif 000002
【実用新案登録請求の範囲】
【請求項１】
乾式穿孔用のコアドリルパッドであって、中空円筒形の基体に珪砂供給装置と、冷気供給装置が設けてあって、珪砂供給装置から珪砂を供給するパイプ及び冷気供給装置からの冷気を供給する冷気パイプが基体内に配置してある乾式穿孔用コアドリルパッド。
【請求項２】
請求項１において、冷気供給装置の冷気パイプが珪砂を供給するパイプに連結してある乾式穿孔用コアドリルパッド。
【請求項３】
請求項１または２において、基体の底部に弾性体の脚が設けてあり、基体内部に円筒形の吸音部材が基体に同心に設けてあると共に基体と吸音部材の間の空間に弾性フォーム吸音材が充填してある乾式穿孔用コアドリルパッド。
【請求項４】
請求項３において、吸音部材がアルミニウム不織布をアルミニウム合金のエキスパンドメタルでサンドイッチして圧延した金属性多孔質吸音材である乾式穿孔用コアドリルパッド。
【考案の詳細な説明】
【技術分野】
【０００１】
本考案は、コンクリートや鉄筋コンクリートなどをコアドリルによって穿孔する際、冷却用の水を使用せずに乾式（ドライ）で穿孔できるようにすると共に、穿孔時の騒音を軽減するコアドリルパッドに関する。
【背景技術】
【０００２】
鉄筋コンクリート構造物、例えば、壁や床版、あるいは天井などに穿孔する場合、コアドリルで円筒形に穿孔することがおこなわれている。コアドリルは、円筒形のドリルビットを回転させてコンクリート躯体に筒形の穴をあけるもので、円筒形のビットの先端面にはダイヤモンド砥粒が設けてある。コンクリートの穿孔時に摩擦によって熱が発生して穿孔効率が低下し、ダイヤモンド砥粒が損傷を受けるため、冷却水を供給しているが、水と切削粉が混合された泥水が排出されるため、この泥水を処分しなければならず、冷却水を使用することなく乾式で穿孔できるようにすることが望まれていた。
【先行技術文献】
【特許文献】
【０００３】
【特許文献１】特開２００４−０７４７１４号公報
【考案の概要】
【考案が解決しようとする課題】
【０００４】
乾式穿孔は、空気によって冷却するものであるため、コンクリートの切粉は吸引回収することができ、水を含まないので処分が容易であるという利点がある一方、冷却能力が水に比べて小さく、切削速度を遅くしなければならず、また、穿孔時の摩擦熱が十分に冷却されず、切粉がコアドリルに付着して穿孔能力が低下するという問題がある。
本考案は、コアドリル穿孔において、冷却水を使用することなく乾式（ドライ）で、かつ、穿孔能力を低下させることなくコンクリートに穿孔できるようにするものである。
【課題を解決するための手段】
【０００５】
本考案のコアドリルパッドは、コアドリルを収容する大きさの円筒形であって、付着した切粉を除去するための珪砂供給装置が付設してあり、珪砂をコアドリルのビットに供給することによって付着した切粉をコアドリルから除去できるようにし、更に、コアドリルの温度上昇に応じてミストやボルテックスチューブなどの冷気供給装置から冷気をビットに吹き付けられるようにしてコアドリルの過熱を防止して乾式穿孔を可能にしたものである。
また、コアドリルパッド内にアルミニウム不織布の円筒形の吸音材を設けることにより、穿孔に伴う騒音を軽減するようにしたものである。
【考案の効果】
【０００６】
本考案によれば、コアドリルに付着した切粉が投入された珪砂によって除去されるので、穿孔効率の低下を防止することができる。
また、コアドリルが穿孔による発熱で加熱され、コアドリルの温度が上昇して穿孔能力の低下が起こる前にミストやボルテックスチューブなどの冷気供給装置を作動させてコアドリルパッド内に冷気を供給してコアドリルの温度上昇を防止することができ、コアドリルの穿孔能力の低下が阻止され、穿孔作業を効率よく進めることができる。
更に、アルミニウム不織布の吸音材がコアドリルパッドの内面に設けてあるので、穿孔音が環境中に伝播するのを抑制することができ、騒音を軽減することができる。
【図面の簡単な説明】
【０００７】
【図１】本考案のコアドリルパッドの実施例の平面図及び正面断面図。
【図２】本考案のコアドリルパッドの他の実施例の平面図及び正面断面図。
【考案を実施するための形態】
【０００８】
本考案を図面に示す実施例に基づいて説明する。
図１に示すようにコアドリルパッド１は、コアドリル１０を収容可能な内径の塩化ビニール製等の筒状体であり、外径がφ１６０ｍｍのコアドリルの場合、厚さ６〜１０ｍｍ、高さ６０〜１００ｍｍの塩化ビニール管を基体２としてあり、基体２の上下は開口としてある。
【０００９】
コアドリルパッド１の内側には、アルミニウム不織布をアルミニウム合金等のエキスパンドメタルでサンドイッチして圧延した金属性多孔質吸音材を円筒形とした吸音部材３が基体２と同心に設けてある。吸音部材３は基体２から中心に向かう複数の補助板３１によって固定してあり、図示の例では、補助板３１によって、基体２と吸音部材３の間には、複数の扇型の空間３４が形成されている。更に、基体２と吸音部材３の間の底部にも吸音部材３が設けてあり、底部から穿孔騒音が伝播するのを阻止している。
【００１０】
この金属性多孔質吸音材と連続気泡の弾性フォーム吸音材を組合わせた吸音材は、更に優れた吸音特性を発揮するので騒音低減に有効であり、扇形の空間３４には、連続気泡の弾性フォーム吸音材３２が充填してあり、上面にはカバー３３が設けてある。
【００１１】
基体２の底部にはスポンジゴム製等の弾性体の脚２１が固定してあり、穿孔対象物の表面にコアドリルパッド１が密着して隙間ができないようにしてあり、密着させることによって切粉の漏出や、騒音が拡散するのを防止している。
【００１２】
基体２には取付具２８が設けてあり、この取付具２８には珪砂をコアドリル１０のビットに供給する珪砂供給装置４が固定してある。珪砂供給装置４は、珪砂を貯留するタンク４１とコアドリル１０のビット部分に珪砂を導くパイプ４２とからなり、パイプ４２は、カバー３３と吸音部材３を貫通してコアドリル１０のビットに先端排出口４３が位置させてあり、コアドリル１０が形成した円形溝内に珪砂が供給されるようにしてある。
珪砂供給装置４の開閉弁４６を開くことによって珪砂を重力または後述の冷気供給装置５からの冷気の気流にともなってコアドリル１０によって形成された円形溝内に珪砂を落下させ、ビットに付着した切粉を除去する。
【００１３】
また、珪砂供給装置４のパイプ４２には、冷気パイプ４４が分岐連結してあり、冷気を生成するボルテックスチューブからなる冷気供給装置５を冷気パイプ４４に連結してある。
ボルテックスチューブは、圧縮空気の渦流を本体管内に起こさせ、その渦流中心より冷気を取り出し、冷気取出口の反対側の本体管より暖気を排出するものであり、取り出した冷気は−５０℃程度のものが得られるので、この冷気をコアドリル１０のビットに向かって噴出させてコアドリルを冷却して過熱を防止する。
【００１４】
冷気供給装置としては、ボルテックスチューブに替えて、または、追加してミストをコアドリル１０のビットに噴霧できるようにしてもよい。ミストをコアドリル１０のビットに噴霧して温度を低下させることができ、コアドリルの過熱を防止することができる。
ミストは、水滴が非常に細かく、直ぐに蒸発するので水滴となることなく温度を低下させるので、切粉が水分を吸収して固まったりすることがない。
冷気供給装置５の起動は、手動、または、コアドリル１０の温度を計測し、所定の温度を超過したときに自動的に起動するようにしてもよい。
【００１５】
この実施例では、冷気供給装置５の冷気パイプ４４を珪砂供給パイプ４２に連結し、基体２の内部に位置する排出口４３を珪砂と冷気で共用して1つにしてあるが、冷気供給装置５を図２の実施例のように、珪砂供給装置４と冷気供給装置５を基体２の対向する位置に配置し、冷気の排出口４５を別にしてもよい。
本考案のコアドリルパッドを使用することによってコアドリルの温度上昇による穿孔効率の低下を防ぐことができ、また、鉄筋コンクリートの穿孔工事においても効率よく施工することができる。
【００１６】
図２に示す例は、コアドリルパッド１の他の実施例であり、珪砂供給装置４と冷気供給装置５を別々に基体２に取付け、珪砂の排出口４３と冷気出口４５を基体２の直径方向に対向する位置としたものであり、他の部分は実施例１と同様である。
珪砂供給装置４と冷気供給装置５を取付具２８を介して基体に固定しているが、基体２の上面に設けたカバー３３にパイプの固定具（図示しない）を設けることによって取付具２８を不要とすることができる。
また、コアドリルの直径が比較的小さく、φ１１０ｍｍ程度の場合、コアドリルパッド１の基体２と吸音部材３の間に設ける補助板３１の枚数を実施例１より減らすことができる。枚数を少なくしたことにより、空間３４の大きさがあまり小さくならず組立が容易である。
【符号の説明】
【００１７】
１    コアドリルパッド
１０  コアドリル
２    基体
２１  脚
２８  取付具
３    吸音部材
３１  補助板
３２  弾性フォーム吸音材
３３  カバー    
３４  空間
４    珪砂供給装置
４１  タンク
４２  パイプ
４３  珪砂排出口
４４  冷気パイプ
４５  冷気出口
４６  開閉弁
５    冷気供給装置
【図１】
0003172506.tif 000003
【図２】
0003172506.tif 000004